(57)【特許請求の範囲】
【請求項１】
長尺な包装フィルムをその長手方向に沿って二つ折りし、長手方向に沿った端縁同士を縦シールして前記包装フィルムを筒状とし、前記縦シールと交叉する方向に沿って横シールして前記包装フィルムを袋状とし、その中に充填物を充填したうえで袋状の包装フィルムの開口を横シールして包装袋を得る包装機に用いる充填ノズルであって、
充填物を吐出する吐出口付近に、ノズル幹部よりも外径の太い平面視略楕円形状のカラーを設けたことを特徴とする包装機用充填ノズル。
【請求項２】
前記平面視略楕円形状のカラーは、幅の広い包装袋に充填物を充填する際に使用することを特徴とする請求項１に記載の包装機用充填ノズル。
【発明の詳細な説明】
【０００１】
【発明の属する技術分野】
本発明は、食品、化粧品などの各種の充填物を包装する包装機に用いる充填ノズルの改良に関するものである。
【０００２】
【従来の技術】
従来より、例えば特開平０１−３７３０３号公報に記載されているように、長尺な包装フィルムをその長手方向に沿って二つ折りし、長手方向に沿った端縁同士を縦シールして包装フィルムを筒状とし、縦シールと交叉する方向に沿って横シールして包装フィルムを袋状とし、その中に充填物を充填したうえで袋状の包装フィルムの開口を横シールして包装袋を得る包装機が知られている。
【０００３】
この種の包装機には、充填物を充填するために、図３に示すような充填ノズル５１が設けられている。この充填ノズル５１は、ステンレスのパイプであって、図示省略の充填物貯留ホッパに接続されている。
【０００４】
前記包装機では、長尺な包装フィルムＦをその長手方向に沿って二つ折りし、長手方向に沿った端縁同士を縦シール（図示省略）して包装フィルムＦを筒状とする。そしてし、縦シールと交叉する方向に沿って横シール５２をして包装フィルムを袋状とする。さらに、その中に充填物Ｃを充填したうえで袋状の包装フィルムＦの開口（図示省略）を横シール５２をして包装袋５３を得る。
【０００５】
この一連の工程において包装フィルムＦには、縦シーラー、横シーラー、テンションロール（いずれも図示省略）から一定の引張力が加えられている。
【０００６】
【発明が解決しようとする課題】
このため、充填ノズル５１の吐出口５４よりも上方では、包装フィルムＦが充填ノズル５１の外周面と密着しがちになる。そして、充填物Ｃが液体、粘凋物の場合には、充填物Ｃが毛細管現象により包装フィルムＦと充填ノズル５１の外周面との間の隙間へ浸入しがちになる。
【０００７】
また、充填物Ｃが粉体の場合には、充填ノズルの吐出口５４と包装フィルムＦの内面とが近接しているため、充填物Ｃが包装フィルムＦの内面に存在する静電気によって引き付けられる度合いが高い。
【０００８】
このように、充填物Ｃが包装フィルムＦの内面に無闇に付着すると、横シール５２を施すときに、横シール５２に充填物Ｃが噛み込まれたシール不良が起こることとなる。
【０００９】
本発明は、かかる従来の不具合を軽減すべく創作されたもので、横シールにおける充填物の噛み込みを防止してシール不良を軽減することのできる包装機用充填ノズルを提供することを目的としている。
【００１０】
【課題を解決するための手段】
本発明は、包装機用充填ノズルに関するもので、かかる課題を解決するために以下のように構成されている。すなわち、本発明は、長尺な包装フィルムをその長手方向に沿って二つ折りし、長手方向に沿った端縁同士を縦シールして前記包装フィルムを筒状とし、前記縦シールと交叉する方向に沿って横シールして前記包装フィルムを袋状とし、その中に充填物を充填したうえで袋状の包装フィルムの開口を横シールして包装袋を得る包装機に用いる充填ノズルであって、充填物を吐出する吐出口付近に、ノズル幹部よりも外径の太い平面視略楕円形状のカラーを設けたことを特徴としている。
【００１１】
更に本発明では、前記平面視略楕円形状のカラーは、幅の広い包装袋に充填物を充填する際に使用することを特徴としている。
【００１２】
【発明の実施の形態】
以下、本発明の包装機用充填ノズルを図示する実施形態について説明する。図１には本発明の一実施形態に係る包装機用充填ノズルが示されている。この実施形態に係る包装機用充填ノズル３１は、長尺な包装フィルムをその長手方向に沿って二つ折りし、長手方向に沿った端縁同士を縦シールして前記包装フィルムを筒状とし、前記縦シールと交叉する方向に沿って横シールして前記包装フィルムを袋状とし、その中に充填物を充填したうえで袋状の包装フィルムの開口を横シールして包装袋を得る包装機に用いられる。ここでは、包装機の構造の説明を省略して充填ノズル３１のみについて説明する。
【００１３】
図１において、符号３１は充填ノズルでパイプ状のノズル幹部３２を備えている。ノズル幹部３２はステンレス製（ＳＵＳ３１６）とされている。このノズル幹部３２の下方端部は充填物を吐出する吐出口３３とされている。
【００１４】
吐出口３３より約１ｃｍ上方には、ノズル幹部３２の外径とほぼ同じ寸法の幅をもつカラー３４が設けられている。このカラー３４はステンレス製（ＳＵＳ３１６）とされている。
【００１５】
カラー３４の外径は、ノズル幹部３２の外径よりも太く設定されていて、ノズル幹部３２にアルゴン溶接によって固着されており、溶接箇所はバフ研磨処理されている。また、カラー３４は、図中（Ｂ）に示すように平面視略楕円形状とされている。カラー３４をこのように平面視楕円形状とすることによって、比較的幅の広い包装袋を包装する場合にも、シール不良を防止することが可能となる。
【００１６】
このような構成の充填ノズル３１は、図２に示すように、包装フィルムＦが縦シーラー、横シーラー、テンションロール（いずれも図示省略）によって一定のテンションを加えられても、充填ノズル３１の吐出口３３よりも上方で、包装フィルムＦが充填ノズル３１の外周面と間隔Ｄ１、Ｄ２をあけて密着しにくくなる。そして、充填物Ｃが特に液体、粘凋物の場合では、その間隔Ｄ１、Ｄ２があるので、充填物Ｃが包装フィルムＦの内面に付着しにくくなる。
【００１７】
また、充填物Ｃが粉体の場合には、充填ノズル３１の吐出口３３と包装フィルムＦの内面とが近接しないので、充填物Ｃが包装フィルムＦの内面に存在する静電気によって引き付けられる度合いが軽減されることとなる。
【００１８】
このようにして、充填物Ｃが包装フィルムＦの内面に無闇に付着することを防止して、横シール５２を施すときに、横シール５２に充填物Ｃが噛み込まれることを抑制している。
【００１９】
なお、本発明は、極めて簡単な構成ではあるが各種の包装機への汎用性は高いもので、その適用は包装形式に制約されるものではない。また、図１に示したカラー３４の形状は実施の一例であって、図示した楕円形以外の形状のものが適用される場合があることは、勿論である。
【００２０】
【発明の効果】
以上説明したように、本発明に係る包装機用充填ノズルによれば、極めて簡単な構成でありながら、充填物が包装フィルムの内面に無闇に付着することを防止して、横シールを施すときに、横シールに充填物が噛み込まれることを抑制してシール不良を軽減することができるものであって、特に、カラー形状を平面視楕円形状とすることで、比較的幅の広い包装袋を包装する場合に、シール不良を防止できるという優れた効果を奏することができる。
【図面の簡単な説明】
【図１】   本発明の一実施形態に係る包装機用充填ノズルを示す、（Ａ）側面図、（Ｂ）平面図である。
【図２】   本発明の一実施形態に係る包装機用充填ノズルの作用を説明する、（Ａ）横シールと向き合う側から見た側面図、（Ｂ）横シールを側面から見た側面図である。
【図３】   従来の包装機用充填ノズルの作用を説明する、（Ａ）横シールと向き合う側から見た側面図、（Ｂ）横シールを側面から見た側面図である。
【符号の説明】
Ｆ    包装フィルム
Ｃ    充填物
３１  充填ノズル
３２  ノズル幹部
３３  吐出口
３４  カラー
５２  横シール
【図１】
0004261816.tif 000002
【図２】
0004261816.tif 000003
【図３】
0004261816.tif 000004